(57)【要約】【課題】乗場ユニットが敷居を有さない場合であっても、乗場ユニットをエレベータの乗場に揚重することができる乗場ユニットの揚重治具を得る。【解決手段】ハンガーケース１およびこのハンガーケース１に吊り下げられた戸２を有した乗場ユニットをエレベータの乗場に揚重する乗場ユニットの揚重治具であって、ハンガーケース１に取り付けられ、昇降路内に垂下されるワイヤ１３の下端部に係合される揚重治具本体９を備え、揚重治具本体９に係合されたワイヤ１３が移動することで、揚重治具本体９が移動する。【選択図】図１
2010143653.tif 000002
【特許請求の範囲】
【請求項１】
ハンガーケースおよびこのハンガーケースに吊り下げられた戸を有した乗場ユニットをエレベータの乗場に揚重する乗場ユニットの揚重治具であって、
前記ハンガーケースに取り付けられ、昇降路内に垂下される垂下体の下端部に係合される揚重治具本体を備え、
前記揚重治具本体に係合された前記垂下体が移動することで、前記揚重治具本体が移動することを特徴とする乗場ユニットの揚重治具。
【請求項２】
前記揚重治具本体は、前記ハンガーケースに取り付けられる基部と、上端部が前記基部に接続され、下端部が、前記戸の反前記乗場側で、前記ハンガーケースより下方に延びた下方延部とを有し、
前記下方延部の下端部が、前記垂下体に係合されることを特徴とする請求項１に記載の乗場ユニットの揚重治具。
【請求項３】
前記戸に設けられ、前記下方延部の反前記戸側に当接し、前記下方延部が前記戸から離間する方向に移動することを規制する当接体をさらに備えたことを特徴とする請求項２に記載の乗場ユニットの揚重治具。
【請求項４】
前記揚重治具本体は、前記下方延部に設けられた、前記戸と接触する、弾性体から構成された接触部をさらに有していることを特徴とする請求項２または請求項３に記載の乗場ユニットの揚重治具。
【発明の詳細な説明】
【技術分野】
【０００１】
この発明は、ハンガーケースおよびこのハンガーケースに吊り下げられた戸を有した乗場ユニットをエレベータの乗場に揚重する乗場ユニットの揚重治具に関する。
【背景技術】
【０００２】
従来、ハンガーケース、このハンガーケースに吊り下げられた戸およびこの戸の下端部に取り付けられた敷居を有した乗場ユニットをエレベータの乗場に揚重する乗場ユニットの揚重治具であって、敷居に取り付けられ、昇降路内に垂下されるワイヤの下端部に係合される揚重治具本体を備え、揚重治具本体に係合されたワイヤが移動することで、揚重治具本体が移動する乗場ユニットの揚重治具が知られている（例えば、特許文献１参照）。
【０００３】
【特許文献１】特開平１０−８７２４６号公報
【発明の開示】
【発明が解決しようとする課題】
【０００４】
しかしながら、このものの場合、乗場ユニットが敷居を有さない場合には、揚重治具本体を乗場ユニットに取り付けることができないので、乗場ユニットをエレベータの乗場に揚重することができないという問題点があった。
【０００５】
この発明は、上述のような問題点を解決することを課題とするものであって、その目的は、乗場ユニットが敷居を有さない場合であっても、乗場ユニットをエレベータの乗場に揚重することができる乗場ユニットの揚重治具を提供するものである。
【課題を解決するための手段】
【０００６】
この発明に係る乗場ユニットの揚重治具は、ハンガーケースおよびこのハンガーケースに吊り下げられた戸を有した乗場ユニットをエレベータの乗場に揚重する乗場ユニットの揚重治具であって、前記ハンガーケースに取り付けられ、昇降路内に垂下される垂下体の下端部に係合される揚重治具本体を備え、前記揚重治具本体に係合された前記垂下体が移動することで、前記揚重治具本体が移動する。
【発明の効果】
【０００７】
この発明に係る乗場ユニットの揚重治具によれば、揚重治具本体が、ハンガーケースに取り付けられ、さらに、垂下体の下端部に係合され、垂下体が移動することで揚重治具本体が移動するので、乗場ユニットが敷居を有さない場合であっても、乗場ユニットをエレベータの乗場に揚重することができる。
【発明を実施するための最良の形態】
【０００８】
以下、この発明の各実施の形態を図に基づいて説明するが、各図において、同一または相当の部材、部位については、同一符号を付して説明する。
実施の形態１．
図１はこの実施の形態に係る乗場ユニットの揚重治具および乗場ユニットを示す斜視図、図２は図１の揚重治具および乗場ユニットを示す正面図、図３は図１の揚重治具および乗場ユニットを示す側面図、図４は図２のＩＶ−ＩＶ線に沿った矢視断面図である。
乗場ユニットは、ハンガーケース１と、このハンガーケース１に吊り下げられた一対の戸２と、この戸２の下端部に取り付けられた複数の足部３と、ハンガーケース１に固定された三方枠４とを備えている。
ハンガーケース１の内部には、戸２の移動方向に沿ったレール５が取り付けられており、このレール５上には、戸２の上端部の左右に離間して取り付けられた一対のローラ６が転動可能となっている。
三方枠４は、ハンガーケース１に固定された上枠７と、この上枠７の左右両端部に固定された一対の縦枠８とを有している。
【０００９】
この実施の形態に係る乗場ユニットの揚重治具は、ハンガーケース１に取り付けられる揚重治具本体９と、戸２に取り付けられる当接体である止め金具１０とを備えている。
揚重治具本体９は、ハンガーケース１に取り付けられる、水平方向に延びた基部１１と、上端部がこの基部１１に接続され、下端部が、戸２の反乗場側、つまり、乗場から視た戸２の背面側で、ハンガーケース１より下方に延びた下方延部１２とを有している。
下方延部１２が、戸２の反乗場側に配置されているので、乗場ユニットをエレベータの乗場に揚重する際に、乗場と戸２との間に下方延部１２の下端部が挟まってしまうことを防ぐことができる。
下方延部１２の下端部は、昇降路内に垂下される垂下体であるワイヤ１３の下端部に係合される。
なお、垂下体は、ワイヤ１３に限らず、例えば、ベルト等であってもよい。
【００１０】
揚重治具本体９は、ボルトおよびナットから構成された第１の締結手段１４を介して、取付金具１５に固定され、この取付金具１５は、ボルトおよびナットから構成された第２の締結手段１６を介して、ハンガーケース１に固定される。
なお、揚重治具本体９は、取付金具１５を介さずに、直接、ハンガーケース１に固定されてもよい。
【００１１】
下方延部１２の下端部には、貫通孔１２ａが形成されており、この貫通孔１２ａにワイヤ１３が挿入されることで、ワイヤ１３が下方延部１２に係合される。
揚重治具本体９に係合されたワイヤ１３が移動することで、揚重治具本体９が移動する。
下方延部１２の下端部は、乗場に立つ作業者の手が届く高さにまで延設されており、乗場に立つ作業者は、下方延部１２の下端部に形成された貫通孔１２ａにまで、手を伸ばして、ワイヤ１３を下方延部１２に着脱することができる。
【００１２】
止め金具１０は、基端部がねじ１７を用いて戸２に固定され、先端部が、下方延部１２の反戸２側、つまり、戸２から視た下方延部１２の背面側に当接している。
これにより、下方延部１２が戸２から離間する方向に移動することが規制される。
また、乗場に立つ作業者は、止め金具１０を戸２に固定した状態で、戸２を開閉することができる。
なお、当接体は、止め金具１０に限らず、下方延部１２の反戸２側に当接できるものであればよい。
【００１３】
揚重治具本体９は、下方延部１２の下端部に取り付けられた、戸２と接触する、弾性体であるゴムから構成された接触部１８をさらに有している。
接触部１８が戸２に接触するので、戸２が揚重治具本体９と接触することによって傷付けられることを防ぐことができる。
なお、接触部１８は、ゴムに限らず、その他の弾性体であってもよい。
また、接触部１８は、下方延部１２の下端部に限らず、下方延部１２のその他の部位に取り付けられてもよい。
【００１４】
次に、この実施の形態に係る乗場ユニットの揚重治具を用いて、乗場ユニットをエレベータの乗場に揚重する手順について説明する。
まず、第１の締結手段１４、取付金具１５および第２の締結手段１６を介して、乗場ユニットのハンガーケース１に揚重治具本体９を取り付ける。
次に、昇降路内にワイヤ１３を垂下し、このワイヤ１３の下端部を、揚重治具本体９の下方延部１２の下端部に形成された貫通孔１２ａに通して、下方延部１２に係合する。
さらに、ねじ１７を用いて止め金具１０を戸２に固定し、止め金具１０の先端部を、下方延部１２の反戸２側に当接させる。
このとき、戸２は閉じられた状態であり、揚重治具本体９の接触部１８を戸２に接触させる。
次に、ワイヤ１３を移動させ、揚重治具本体９を移動させて、乗場ユニットをエレベータの乗場に揚重する。
乗場ユニットをエレベータの乗場に揚重した後、乗場に立つ作業者は、戸２を開いて、下方延部１２の貫通孔１２ａからワイヤ１３を取り外す。
最後に、揚重治具本体９、止め金具１０および取付金具１５を乗場ユニットから取り外す。
【００１５】
以上説明したように、この実施の形態に係る乗場ユニットの揚重治具によれば、揚重治具本体９が、ハンガーケース１に取り付けられ、さらに、ワイヤ１３の下端部に係合され、ワイヤ１３が移動することで揚重治具本体９が移動するので、乗場ユニットが敷居を有さない場合であっても、乗場ユニットをエレベータの乗場に揚重することができる。
また、乗場ユニットが敷居を有している場合に、この敷居を乗場ユニットから分離して揚重することができるので、長尺物である敷居を乗場ユニットに取り付けた状態では、乗場ユニットを揚重するのに必要なスペースが無いときであっても、乗場ユニットから敷居を分離して、乗場ユニットをエレベータの乗場に揚重することができる。
【００１６】
また、揚重治具本体９は、ハンガーケース１に取り付けられる基部１１と、上端部が基部１１に接続され、下端部が、戸２の反乗場側で、ハンガーケース１より下方に延びた下方延部１２とを有し、下方延部１２の下端部が、ワイヤ１３に係合されるので、乗場に立つ作業者は、簡単に、揚重治具本体９からワイヤ１３を着脱することができる。
【００１７】
また、戸２に取り付けられる止め金具１０は、下方延部１２の反戸２側に当接して、揚重治具本体９が戸２から離間する方向に移動することを規制するので、乗場に立つ作業者が、簡単に、戸２を開閉することができるとともに、乗場ユニットをエレベータの乗場に揚重する際に、揚重治具本体９が戸２から離間する方向に移動して、乗場ユニットから揚重治具本体９が外れることを抑制することができる。
【００１８】
また、揚重治具本体９は、弾性体から構成された接触部１８が戸２と接触するので、戸２が揚重治具本体９に接触することによって傷付けられることを防ぐことができる。
【００１９】
なお、この実施の形態では、ワイヤ１３が下方延部１２の貫通孔１２ａに挿入されることで、ワイヤ１３が揚重治具本体９に係合される乗場ユニットの揚重治具について説明したが、勿論このものに限らず、例えば、下方延部１２にワイヤ１３に係合可能な突出部が形成され、ワイヤ１３がこの突出部に係合される乗場ユニットの揚重治具であってもよい。
【００２０】
また、この実施の形態では、揚重治具本体９が基部１１および下方延部１２を有し、ワイヤ１３が下方延部１２に係合される乗場ユニットの揚重治具について説明したが、勿論このものに限らず、揚重治具本体９が下方延部１２を有さず、ワイヤ１３が基部１１に係合される乗場ユニットの揚重治具であってもよい。
【図面の簡単な説明】
【００２１】
【図１】この発明の実施の形態１に係る乗場ユニットの揚重治具および乗場ユニットを示す斜視図である。正面図である。
【図２】図１の揚重治具および乗場ユニットを示す正面図である。側面図である。
【図３】図１の揚重治具および乗場ユニットを示す側面図である。
【図４】図２のＩＶ−ＩＶ線に沿った矢視断面図である。
【符号の説明】
【００２２】
１  ハンガーケース、２  戸、３  足部、４  三方枠、５  レール、６  ローラ、７  上枠、８  縦枠、９  揚重治具本体、１０  止め金具（当接体）、１１  基部、１２  下方延部、１２ａ  貫通孔、１３  ワイヤ（垂下体）、１４  第１の締結手段、１５  取付金具、１６  第２の締結手段、１７  ねじ、１８  接触部。
【図１】
2010143653.tif 000003
【図２】
2010143653.tif 000004
【図３】
2010143653.tif 000005
【図４】
2010143653.tif 000006